(57)【要約】【課題】スリップ防止機能を備え、斜面でも優れたグリップ性能を備えたゴルフシューズの提供。【解決手段】ゴルフシューズのアウトソール２は、底面の外縁９に沿って形成された双突起５を備えている。この双突起５は、外縁９に沿って長手方向を有する第一の突起１１と、この突起に隣接して底面中側に配される第二の突起１３とを有する。第二の突起１３の長さは第一の突起１１の長さ以下で、高さは、第一の突起の高さの０．２倍以上０．９倍以下である。この第二の突起は、底面中側に向いた壁面を備えており、この壁面が底面の垂直方向に対して底面中側に−３０°以上０°以下の角度に傾斜している。第二の突起１３は、アウトソール本体及び他の突起以上の硬度を備えることが好ましい。このゴルフシューズは、スリップ防止機能に優れ、傾斜面においてもグリップ性能が優れている。【選択図】  図２
2004313373.tif 000002
【特許請求の範囲】
【請求項１】
底面の外縁に沿って形成された双突起を備えており、この双突起は、外縁に沿って長手方向を有する第一の突起と、この双突起に隣接して底面中側に配され、長さは第一の突起の長さ以下で、高さは、第一の突起の高さの０．２倍以上０．９倍以下である第二の突起とからなり、この第二の突起は、底面中側に向く壁面を備えており、この壁面の傾斜角度が底面の垂直方向に対して−３０°以上０°以下であるゴルフシューズ。
【請求項２】
上記第一の突起と上記第二の突起との間に幅が２ｍｍ以上８ｍｍ以下の溝を有し、この溝の底部で上記両突起が連結されている請求項１に記載のゴルフシューズ。
【請求項３】
上記第一の突起の長さが１０ｍｍ以上３０ｍｍ以下である請求項１又は２に記載のゴルフシューズ。
【請求項４】
上記第二の突起の硬度は、上記第一の突起と同等又はそれ以上であり、他の突出部及び底面本体よりも高い、請求項１から３のいずれかに記載のゴルフシューズ。
【請求項５】
上記第二の突起のＪＩＳ−Ａ硬度が８０以上９０以下である請求項４に記載のゴルフシューズ。
【発明の詳細な説明】
【０００１】
【発明の属する技術分野】
本発明は、ゴルフシューズに関する。詳細には、本発明は、ゴルフシューズの底面の改良に関するものである。
【０００２】
【従来の技術】
ゴルフシューズには、スリップ防止のため底面に針状のスパイクピンが取り付けられたものがある。このスパイクは、金属製又はセラミック製で高硬度の材質からなる。このゴルフシューズではスリップはかなり防止される。しかし、スパイクピンがパッティンググリーンの芝生、クラブハウスの床、ゴルフコース中に設けられた歩行用路面等を傷める。またスパイクピンが脱落したり、偏摩耗したりすることがある。スパイクピンを備える底面は歩行中に突き上げ感があったり、スパイクピンの取り付け部分が硬いため、シューズの屈曲が少なく履き心地の悪い。
【０００３】
このため、スパイクピンに代えて、例えば特開２００２−４５２０３公報及び特開２００２−４５２０５公報に記載されているようなゴムや合成樹脂製の突出部を底面に備えたゴルフシューズが普及してきた。一般に突出部がゴムや合成樹脂製からなるゴルフシューズは、芝生等を傷つけることが少ないが突出部のスリップ防止効果がスパイクピンに比べると劣るという問題がある。このため、底面の材質、突起の配列等により、グリップ性能の保持が図られている。
【０００４】
【特許文献１】
特開２００２−４５２０３公報
【特許文献２】
特開２００２−４５２０５公報
【０００５】
【発明が解決しようとする課題】
上記の改良が施されたゴルフシューズであっても、芝の長い斜面や、傾斜の急な斜面におけるグリップ性能は不足しており改良が求められている。本発明は、このような実情に鑑みてなされたものであり、スリップ防止機能を備え、特に斜面等の芝草で滑りやすい条件下でも優れたグリップ機能を備えたゴルフシューズの提供を目的とする。
【０００６】
【課題を解決するための手段】
本発明に係るゴルフシューズは、底面の外縁に沿って形成された双突起を備えている。この双突起は、外縁に沿って長手方向を有する第一の突起と、この突起に隣接して底面中側に配される第二の突起とからなる。第二の突起の長さは、第一の突起の長さ以下で、高さは、第一の突起の高さの０．２倍以上０．９倍以下である。この第二の突起は、底面中側に向いた壁面を備えており、この壁面の傾斜角度が底面の垂直方向に対して−３０°以上０°以下である。なお、底面の垂直方向に対して負の角度は、底面中側に向かって倒れ込む方向の角度である。このゴルフシューズは、スリップ防止機能に優れ、傾斜面においてもグリップ性能が優れている。
【０００７】
このゴルフシューズの第一の突起と上記第二の突起との間に幅が２ｍｍ以上８ｍｍ以下の溝を有し、この溝の底部で上記両突起が連結されていることが好ましい。本明細書において、突起間の溝の幅とは、溝底から第二の突起の頂点までの外側壁高さの中点と第一の突起の中側壁面との水平方向距離である。
【０００８】
また、好ましくは、上記第一の突起の長さが１０ｍｍ以上３０ｍｍ以下である。このゴルフシューズは、斜面でもスリップ防止機能が優れている。本明細書において、突起の長さとは突起頂部に形成される平坦面の長さである。
【０００９】
より好ましくは、上記第二の突起の硬度は、上記第一の突起と同等又はそれ以上であり、その他の突出部及び底面本体の硬度よりも高いことである。このゴルフシューズは草の茂った斜面でもグリップ性能が優れている。
【００１０】
また、上記第二の突起のＪＩＳ−Ａ硬度が８０以上９０以下であることがさらに好ましい。このゴルフシューズは急な傾斜面でも優れたグリップ性能を発揮する。
【００１１】
【発明の実施の形態】
以下、適宜図面が参照されつつ、好ましい実施形態に基づいて本発明が詳細に説明される。
【００１２】
図１は、本発明の一実施形態にかかるゴルフシューズ１が示された側面図である。このゴルフシューズ１は、アウトソール２及びアッパー３を備えている。アウトソール２は、ゴム組成物が架橋されて成形されている。ゴム組成物の基材ゴムとしては、アクリロニトリル−ブタジエンゴム、ブタジエンゴム、スチレン−ブタジエンゴム、イソプレンゴム、ブチルゴム、クロロプレンゴム、エチレン−プロピレンゴム、天然ゴム等が用いられる。これらの２種以上のゴムがブレンドされてもよい。アッパー３の材質は、皮革、合成皮革等から形成されている。
【００１３】
図２は、図１のゴルフシューズ１のアウトソール２が示された底面図である。
このアウトソール２は、右足用である。左足用のアウトソールは、図２が左右反転された形状を有する。図２から明らかなように、アウトソール２は底面本体４とこの底面本体４から突出する多数の突出部を備えている。突出部は、双突起５及びその他の突出部７とからなる。これらの突出部は、底面本体４と一体的に成形されている。これらの突出部は、ゴム組成物の架橋成形体からなるので、金属製又はセラミック製のスパイクピンよりも硬度が低い。
【００１４】
双突起５は、外縁９に沿って配置されている。この双突起５は、外縁９に沿った方向に延びる長手方向を有する第一の突起１１とその中側に第二の突起１３とを備えている。ここで、外側とは、底面の中央部（底面の幅又は長さの中心線）から外縁に向かう方向であり、中側とは、これとは逆の外縁から中央部に向かう方向のことである。他の突出部７は、双突起５と組み合わされて、ゴルファーがスイングするときの挙動に適合させて配置されている。すなわち、足の踏ん張り、蹴り及びターンがスムースに運ばれるように、また履き心地や歩行による疲労の軽減等の観点から、設計されている。
【００１５】
双突起５は、外縁のいずれの位置に配されてもグリップ効果を発揮できる。また、外縁上には、この双突起５以外に他の突出部５があってもよい。しかし、この双突起５は、少なくとも底面のサイド部（底面幅方向の左端側又は右端側）には配置される方が好ましい。より好ましくは、両サイド部に配置されることである。このゴルフシューズは、傾斜面でゴルフスイングするときに、グリップ性能が優れている。
【００１６】
双突起５の第一の突起１１は、アウトソール２の外縁９に一体的に形成されている。突起１１は、この外壁が最外縁部に一致する必要はなく、例えば外縁９から数ｍｍ中側に位置してもよい。突起１１の外壁が外縁９の最外部に位置する方がゴルフシューズの接地幅による安定性の面からより好ましい。第二の突起１３は、第一の突起１１よりも長さが短く、高さが低い。第二の突起１３は、第一の突起１１の中側に保護されるように形成されている。
【００１７】
図３及び図４は、図２のアウトソール２の一部が示された部分拡大図である。
図３（ａ）は、その底面図であり、図３（ｂ）は、図３（ａ）のＢ方向矢視図である。図４は、図３（ａ）のＩＶ−ＩＶ線に沿う断面図である。第二の突起１３は、中側に向く壁面１５及び１７を備えている。この壁面１５及び１７は、底面本体４の垂直方向に対して−３０°以上０°以下である。突起の壁面が垂線に対して負の角度に傾斜させられると、金型からの取り出し作業の面で製造能率が悪くなる傾向がある。このため、従来は突出部の形状に負の角度の傾斜を採用するとこが、ほとんど考慮されなかった。しかし、この傾斜角度によって、グリップ性能が向上することが判明した。上記の傾斜角度が−３０°より大きく傾くと製造しにくくなる。より好ましくは−２５°以上−５°以下である。
【００１８】
図４に示されているように、第一の突起１１の高さＨ１は、第二の突起１３の高さＨ２よりも高い。この高さの比Ｈ２／Ｈ１は、０．２以上０．９以下であることが好ましい。０．２未満では第二の突起１３の高さが不足で刺さり効果が小さい。また、０．９を超えると第一の突起１１の作用と重なるため刺さり効果が小さくなる。好ましくは、高さの比Ｈ２／Ｈ１は０．３以上０．８以下である。
【００１９】
図３に示されている第二の突起１３の先端部（接地部）の形状は、略三角であるが、この部分は円状、線状又は帯状であってもよい。また、第二の突起の壁面は、一つでもよく、また複数でもよい。
【００２０】
第一の突起１１と上記第二の突起１３との間には溝１９が設けられている。この溝１９の幅Ｗは、２ｍｍ以上８ｍｍ以下であり、溝の底部２１で上記両突起が連結されていることが好ましい。この幅Ｗが２ｍｍ未満では、第一の突起１１に遮られて、第二の突起１３の有する刺さり作用によるグリップ効果が小さくなる。８ｍｍを超えると第一の突起による上記保護効果が小さくなり、第二の突起の摩耗や割れが生じる恐れがある。この間隔は、第一の突起１１及び第二の突起１３の大きさと関連させて、大きい場合は広く、小さい場合は狭く、適宜設定される。なお、溝１９の幅Ｗを定める第二の突起１３の外壁高さ中点は、Ｈ２からＨ３を差し引いた高さの１／２に相当する外壁上の位置である。
【００２１】
この溝の底部２１は底面本体４の上に高さＨ３を有する。したがって、底面本体４の上に双突起５のブロックが形成されている。この底部２１の高さＨ３と上記第二の突起１３の高さＨ２の比Ｈ３／Ｈ２は、０．１以上０．８以下が好ましい。より好ましくは第二の突起１３の耐久性等の観点から０．２以上０．７以下である。また、０．３以上０．６以下であることが、さらに好ましい。
【００２２】
上記第一の突起１１の長さＬ１が１０ｍｍ以上３０ｍｍ以下であることが好ましい。１０ｍｍ未満では第二の突起１３に対する保護効果が小さい。また、長さＬ１が３０ｍｍを超えると第二の突起１３の刺さり効果を減じる傾向があり、またゴルフシューズの外観を損なうことがある。より好ましくは、この長さＬ１が１０ｍｍ以上２５ｍｍ以下である。また、この長さＬ１が１５ｍｍ以上２５ｍｍ以下が上記の観点から、さらに好ましい。上記と同様の理由から、第二の突起１３の長さＬ２は、第一の突起１１の長さＬ１と同等以下である。このゴルフシューズは、斜面でもスリップ防止機能が優れている。
【００２３】
第二の突起１３の硬度は、第一の突起１１の硬度以上で、底面本体４及びその他の突出部７よりも硬度が高いことがより好ましい。第一の突起１１の硬度は、底面の他の部分の硬度より高くてもよい。通常のゴルフシューズの底面及び突起の硬度は６５以上７５以下程度である。本ゴルフシューズの第二の突起１３では、ＪＩＳ−Ａ硬度が８０以上９５以下であることが好ましい。より好ましくは８０以上９０以下である。さらには、８０より大きく９０以下が刺さり効果と履き心地、突起の耐久性等の面から好ましい。高硬度の第二の突起１３は、接地部への刺さり効果又はひっかかり効果がより大きい。そのため、このゴルフシューズは斜面におけるグリップ性能が優れている。
【００２４】
このアウトソール２の成形は、例えば、アクリロニトリル−ブタジエンゴムを基材として、シリカ、シランカップリング剤、可塑剤、老化防止剤、酸化亜鉛、ステアリン酸、硫黄、加硫促進剤等を混練りしたゴム組成物を金型に充填する。
このとき、双突起５に相当する部分には、高硬度用の別のゴム組成物を充填する。このゴム組成物は、例えば硫黄含有量を多くしたもの又はカーボンブラック、シリカ等の補強性充填剤の含有量を多くしたもの等である。金型で、例えば１６０℃、８分間、ゴム組成物を加圧、加熱してアウトソールが得られる。このソールに、インソール及びアッパーを取り付けて、ゴルフシューズが得られる。
【００２５】
図５（ａ）は、本発明の他の実施形態に係るゴルフシューズの底面２５の一部が示された底面図である。図５（ｂ）は、図５（ａ）のＢ方向矢視図である。この図の双突起２７は、外縁２９に第一の突起３１が一体的に形成されている。第二の突起３３は、溝３５を介して第一の突起３１の中側に配されている。第二の突起３３の断面形状は、略台形状であり、頂部先端３７が帯状をなしている。第二の突起３３は、中側中央部に向く壁面３９とこれを夾んで中側に向く壁面４１及び４３を備えている。壁面３９は、底面本体４０に対して、中側に倒れる形で傾斜している。壁面３１及び３３は、外側に向いた傾斜面を有している。この双突起２７の上記Ｂ方向に沿った断面図は、図４と類似する。また、第一の突起３１及び第二の突起３３の長さＬ１及びＬ２、高さＨ１からＨ３も双突起５について前述したことと同様の関係にある。このゴルフシューズは、第二の突起３３がささり効果とエッヂ効果を有しており、急な傾斜面でも優れたグリップ性能を発揮する。
【００２６】
図６（ａ）は、本発明の他の実施形態に係るゴルフシューズの底面４５の一部が示された底面図である。図６（ｂ）は、図６（ａ）のＢ方向矢視図である。この双突起４７は、第一の突起４９と第二の突起５１とを備えている。第一の突起４９は、外縁５０と一体に成形されている。第二の突起５１は、上記図５の第二の突起３３とは逆向きの略台形状に形成されている。この壁面５３も、中側に倒れる形で傾斜している。壁面５５及び５７は底面本体５９に垂直に形成されている。この双突起４７のＢ方向に沿った断面図は、図４と類似する。また、第一の突起４９及び第二の突起５１の長さ及び高さ関係は双突起５について前述したことと同様の関係にある。このタイプの第二の突起は先端６１が長い線状となるので、いわゆるエッヂ効果が高い。したがって、傾斜面において、引っかかり効果によるグリップ性能が高くなる。
【００２７】
本発明の双突起を備えたゴルフシューズと双突起のない従来のゴルフシューズとを天然草地の上で荷重をかけて引張ると、摩擦力に明らかな差が出た。その他、履き心地やプレー性能の面でも使用感がよく、本発明の優位性は明らかである。
【００２８】
【発明の効果】
以上説明されたように、本発明のゴルフシューズは、グリップ性能に優れ、特に斜面で優れた効果を発揮する。このゴルフシューズは、プレーヤーの使用満足度の向上に寄与しうる。
【図面の簡単な説明】
【図１】図１は、本発明の一実施形態にかかるゴルフシューズが示された側面図である。
【図２】図２は、図１のゴルフシューズが示された底面図である。
【図３】図３は、図２のアウトソールの一部のが示された拡大底面図である。
【図４】図４は、図３の断面図である。
【図５】図５は、本発明の他の実施形態に係るゴルフシューズのアウトソールの一部が示された拡大底面図である。
【図６】図６は、本発明の他の実施形態に係るゴルフシューズのアウトソールの一部が示された拡大底面図である。
【符号の説明】
１・・・ゴルフシューズ
３・・・アッパー
２、２５、４５・・・アウトソール
４、４０，５９・・・底面本体
５、２７、４７・・・双突起
７・・・他の突出部
９、２９、５０・・・外縁
１１、３１、４９・・・第一の突起
１３、３３、５１・・・第二の突起
１５、１７、３９、４１、４３，５３、５５，５７・・・壁面
１９、３５・・・溝
【図１】
2004313373.tif 000003
【図２】
2004313373.tif 000004
【図３】
2004313373.tif 000005
【図４】
2004313373.tif 000006
【図５】
2004313373.tif 000007
【図６】
2004313373.tif 000008